(57)【要約】      （修正有）【課題】浄水器用カートリッジ内のろ材に蓄積された放射性物質による外部被ばく及び内部被ばくを防止することができる浄水器用カートリッジを提供する。【解決手段】容器１内部のろ材９と導入孔２の間、及びろ材９と導出孔４の間に、放射線遮蔽部材として、繊維状金属の集合体である金属ウール１４を設置する。繊維状の金属としては、アルミニウムと同等以上の密度を有する金属または合金が好ましく、樹脂コーティングを施したものでもよい。そして、この金属ウール１４により、導入孔２と導出孔４に向かうβ線が遮蔽されるため、外部被ばくの可能性が低減する。また、メッシュ部材８や、導出孔４に設置されたメッシュ部材が破損等しても、導入孔２や導出孔４からのろ材９の漏れだしを防止でき、ろ材の誤飲による経口内部被ばくの可能性も低減する。【選択図】図２
0003172134.tif 000002
【実用新案登録請求の範囲】
【請求項１】
水を導入する導入孔と水を導出する導出孔とを有する容器と、該容器内に配されたろ材とを有する浄水器用カートリッジであって、前記導入孔と導出孔の少なくとも一方を覆う放射線遮蔽部材を有することを特徴とする浄水器用カートリッジ。
【請求項２】
前記容器の少なくとも一部はβ線遮蔽能を有する素材からなることを特徴とする請求項１に記載の浄水器用カートリッジ。
【請求項３】
前記放射線遮蔽部材は、ろ材と導入孔の間および／またはろ材と導出孔の間に配された金属ウールであることを特徴とする請求項１または２に記載の浄水器用カートリッジ。
【請求項４】
請求項１〜３のいずれか１項に記載の浄水器用カートリッジを備えたことを特徴とする浄水器。
【請求項５】
請求項１〜３のいずれか１項に記載の浄水器用カートリッジを収納する収納ケースであって、少なくとも前記導入孔を覆うキャップ部と、少なくとも前記導出孔を覆う胴部とを有し、前記キャップ部と前記胴部はβ線遮蔽能を有する素材からなることを特徴とする浄水器用カートリッジ収納ケース。
【考案の詳細な説明】
【技術分野】
【０００１】
本考案は、浄水器用カートリッジ、そのカートリッジを備えた浄水器及び浄水器用カートリッジ収納ケースに関するものである。
【背景技術】
【０００２】
最近発生した巨大地震に伴い原発事故が発生し、ヨウ素やセシウム等の放射性物質が大気中に放出され雨と共に河川に流入した。この影響で、都内の浄水場から乳児向け飲用基準を上回る放射性物質が検出され、乳幼児が水道水を飲料することができなくなった。
【０００３】
一方で、水道水に放射性物質が含まれていても、例えば、活性炭やイオン交換樹脂をろ材とする浄水器用カートリッジを備えた浄水器を使用すれば、水道水から放射性物質をろ過できるとされている。しかし、放射性物質はろ材に吸着されるため、浄水器用カートリッジの内部に放射性物質が蓄積されることとなる。この結果、ろ材に吸着した放射性物質からβ線等の放射線が放出されるという問題がある。
【０００４】
浄水器用カートリッジには、水の出入口が必須であり、ポット型浄水器では、通常、浄水器用カートリッジの上部には水の導入孔が、下部には水の導出孔が設置されている（特許文献１）。従って、これらの孔からは、特に放射線が放出されやすく、この部分から放出された放射線により、外部被ばくする可能性がある。また、水の導入孔や導出孔からろ材が漏れ出た場合には、ろ材の誤飲による経口内部被ばくの可能性もある。
【先行技術文献】
【特許文献】
【０００５】
【特許文献１】特開２０１０−１６２５４１号公報
【考案の概要】
【考案が解決しようとする課題】
【０００６】
本考案は、かかる問題を解決するためになされたものであり、浄水器用カートリッジ内のろ材に蓄積された放射性物質による外部被ばく及び内部被ばくを防止することを目的とする。
【課題を解決するための手段】
【０００７】
即ち、本考案の浄水器用カートリッジは、水を導入する導入孔と水を導出する導出孔とを有する容器と、該容器内に配されたろ材とを有する浄水器用カートリッジであって、前記導入孔と導出孔の少なくとも一方を覆う放射線遮蔽部材を有することを特徴とする。
【考案の効果】
【０００８】
本考案によれば、浄水器用カートリッジ内のろ材に蓄積された放射性物質による外部被ばく及び内部被ばくを防止することができる。
【図面の簡単な説明】
【０００９】
【図１】第１の実施形態に係る浄水器用カートリッジの斜視図である。
【図２】図１の浄水器用カートリッジの縦断面図である。
【図３】図１の浄水器用カートリッジを用いるポット型浄水器の正面図である。
【図４】第２の実施形態に係る浄水器用カートリッジの放射線遮蔽部材を説明する斜視図である。
【図５】第３の実施形態に係る浄水器用カートリッジの放射線遮蔽部材を説明する縦断面図である。
【図６】第４の実施形態に係る浄水器用カートリッジの放射線遮蔽部材を説明する斜視図である。
【図７】図１の浄水器用カートリッジを収納ケースに収納した状態を示す縦断面図である。
【考案を実施するための形態】
【００１０】
＜第１の実施形態＞
以下、本考案の第１の実施形態について説明する。
【００１１】
図１は、本形態の浄水器用カートリッジの斜視図、図２は本形態の浄水器用カートリッジの縦断面図である。図１（ａ）に示すように、浄水器用カートリッジは円筒状の容器１からなり、容器１の上部中央には、導入孔２を有する三角形状のつまみ部３が形成されている。また、容器１の底部には、ろ材の流出を防止するメッシュ部材が設置された導出孔４が形成されている。そして、図１（ｂ）に示すように、容器１は、蓋体５と本体６に分離することが可能であり、蓋体５のつまみ部３の周辺には等間隔で８つの導入孔２（一部図示せず）が、フランジ部７には長方形状の４つの導入孔２（一部図示せず）が形成されている。
【００１２】
図２に示すように、容器１の内部には、水道水を浄水するための活性炭、ゼオライト、イオン交換樹脂等のろ材９が詰められており、ろ材９が導入孔２から漏れないように、メッシュ部材８が設置されている。
【００１３】
容器１の素材には樹脂を用いても良いが、樹脂ではα線を遮蔽できても、β線を十分に遮蔽できない可能性が高い。そこで、容器１の少なくとも一部を、β線遮蔽能を有する素材で形成することが好ましい。β線遮蔽能を有する素材としては、例えば、アルミニウム、鉄、銅、鉛、クロム等、アルミニウムと同等以上の密度を有する金属または合金、アルミニウムと同等以上の密度を有する金属または合金を樹脂中に分散した、あるいはアルミニウムと同等以上の密度を有する金属または合金と樹脂を一体成型した複合材料、アルミニウムと同等以上の密度を有する金属または合金を、好ましくは０．０１ｍｍ以上の厚みでメッキした樹脂板等が挙げられる。アルミニウムと同等以上の密度を有する金属または合金からなる容器を用いる場合には、内面に樹脂コーティングを施してもよい。容器１の厚みは、特に限定されないが、０．０５ｍｍ〜５ｍｍが好ましい。
【００１４】
本形態では、容器１内部のろ材９と導入孔２の間、及びろ材９と導出孔４の間に、放射線遮蔽部材として、繊維状金属の集合体である金属ウール１４を設置する。繊維状の金属としては、アルミニウムと同等以上の密度を有する金属または合金が好ましく、樹脂コーティングを施したものでもよい。そして、この金属ウール１４により、導入孔２と導出孔４に向かうβ線が遮蔽されるため、外部被ばくの可能性が低減する。また、メッシュ部材８や、導出孔４に設置されたメッシュ部材が破損等しても、導入孔２や導出孔４からのろ材９の漏れだしを防止でき、ろ材の誤飲による経口内部被ばくの可能性も低減する。
【００１５】
次に、本形態の浄水器用カートリッジを用いるポット型浄水器について説明する。図３に示すように、ポット型浄水器は、蓋部１０、内容器１１、及び外容器１２で構成されている。内容器１１のＡ部分に浄水器用カートリッジを嵌合し、蓋部１０に設けられた流入口１３から水道水を流入する。そうすると浄水器用カートリッジを介して、ポット型浄水器の内部に水が溜まるので、水道水に放射性ヨウ素等の放射性物質が混入されていても、ろ材が放射性物質を吸着するため、安心してポット型浄水器に溜まった水を飲料することができる。
【００１６】
最後に、本形態の浄水器用カートリッジの収納ケースについて説明する。上述の様に、本形態の浄水器用カートリッジによれば、カートリッジ使用中の外部被ばくや内部被ばくを防ぐことが可能であるが、使用後（廃棄時）の外部被ばくや内部被ばくを確実に防ぐためには、図７に示す様に、収納ケースに収納することが好ましい。
【００１７】
図７の収納ケースは、キャップ部１９と胴部２０からなり、これらが嵌合することにより、浄水器用カートリッジを完全に収納する。そして、収納ケースは、β線遮蔽能を有する素材で形成することが好ましい。β線遮蔽能を有する素材としては、容器１について例示した通りである。収納ケース１の厚みは、特に限定されないが、０．０５ｍｍ〜５ｍｍが好ましい。
【００１８】
収納ケース７は、図７の態様に限定されず、例えば、キャップ部１９と胴部２０が螺合する構成でもよいし、導入孔２と導出孔４を完全に覆っていれば、キャップ部１９と胴部２０が連接していなくよい。
【００１９】
＜第２の実施形態＞
図4に示す様に、放射線遮蔽部材として、金属ウールに代えて内蓋１５を設置し、蓋体５を回転可能に設置した。それ以外は、第1の実施形態と同様であるので説明を省略する。
【００２０】
図４（ａ）に示す様に、内蓋１５は、蓋体５より一回り小さく、蓋体５のつまみ部３の周辺の８つの導入孔２に対応した導入孔２’が形成されている。そして、図４（ｂ）に示すように、浄水時には導入孔２、２’を一致させておき、浄水完了後には、蓋体５を矢印方向にひねることにより導入孔２を閉じることができる。内蓋１５は、β線遮蔽能を有する素材で形成することが好ましい。β線遮蔽能を有する素材としては、第１の実施形態で説明した通りである。内蓋１５の厚みは、特に限定されないが、０．０５ｍｍ〜５ｍｍが好ましい。
【００２１】
本形態によれば、導入孔２に起因する外部被ばく、内部被ばくの可能性を低減することができる。
【００２２】
＜第３の実施形態＞
図５に示す様に、放射線遮蔽部材として、金属ウールに代えて外蓋１６を設置した。それ以外は、第1の実施形態と同様であるので説明を省略する。
【００２３】
図５（ａ）に示す様に、外蓋１６は、蓋体５のフランジ部７より一回り大きく、連結部材により、フランジ部７に連結されている。尚、外蓋１６には導入孔は形成されていない。そして、図５（ｂ）に示すように、浄水完了後に、外蓋１６を被せることにより導入孔２を塞ぐことができる。外蓋１６は、β線遮蔽能を有する素材で形成することが好ましい。β線遮蔽能を有する素材としては、第１の実施形態で説明した通りである。外蓋１６の厚みは、特に限定されないが、０．０５ｍｍ〜５ｍｍが好ましい。
【００２４】
本形態によれば、導入孔２に起因する外部被ばく、内部被ばくの可能性を低減することができる。
【００２５】
＜第４の実施形態＞
図６に示す様に、放射線遮蔽部材として、金属ウールに代えてシャッター部材１８を設置した。それ以外は、第1の実施形態と同様であるので説明を省略する。
【００２６】
図６に示す様に、シャッター部材１８は、導出孔４を覆うことができるように、本体６の底部に回転可能に設置されている。そして、浄水完了後に、シャッター部材１８を矢印方向に回転させ導出孔４を塞ぐことができる。シャッター部材１８は、β線遮蔽能を有する素材で形成することが好ましい。β線遮蔽能を有する素材としては、第１の実施形態で説明した通りである。シャッター部材１８の厚みは、特に限定されないが、０．０５ｍｍ〜５ｍｍが好ましい。
【００２７】
本形態によれば、導出孔４に起因する外部被ばく、内部被ばくの可能性を低減することができる。
【００２８】
なお、第１〜第４の実施形態では、浄水器用カートリッジとして、ポット型浄水器に用いるカートリッジを取り上げて説明したが、本考案はこれに限定されるものではなく、蛇口直結型浄水器、据置型浄水器、アンダーシンク型浄水器、携帯用浄水器、浄水器組込型水栓、浄水シャワー等、いかなる構造の浄水器用カートリッジにも本考案を適用することが可能である。
【符号の説明】
【００２９】
１    容器
２    導入孔
３    つまみ部
４    導出孔
５    蓋体
６    本体
７    フランジ部
８    メッシュ部材
９    ろ材
１０    蓋部
１１    内容器
１２    外容器
１３    流入口
１４    金属ウール
１５    内蓋
１６    外蓋
１７    連結部材
１８    シャッター部材
１９    キャップ部
２０    胴部
【図１】
0003172134.tif 000003
【図２】
0003172134.tif 000004
【図３】
0003172134.tif 000005
【図４】
0003172134.tif 000006
【図５】
0003172134.tif 000007
【図６】
0003172134.tif 000008
【図７】
0003172134.tif 000009
【手続補正書】
【提出日】平成23年9月28日(2011.9.28)
【手続補正１】
【補正対象書類名】実用新案登録請求の範囲
【補正対象項目名】全文
【補正方法】変更
【補正の内容】
【実用新案登録請求の範囲】
【請求項１】
水を導入する導入孔と水を導出する導出孔とを有する容器と、該容器内の導入孔と導出孔の間に配されたろ材とを有する浄水器用カートリッジであって、前記容器内のろ材と導入孔の間またはろ材と導出孔の間、或いは前記容器外に配され、前記導入孔と導出孔の少なくとも一方を覆う放射線遮蔽部材を有することを特徴とする浄水器用カートリッジ。
【請求項２】
前記容器の少なくとも一部はβ線遮蔽能を有する素材からなることを特徴とする請求項１に記載の浄水器用カートリッジ。
【請求項３】
前記放射線遮蔽部材は、ろ材と導入孔の間および／またはろ材と導出孔の間に配された金属ウールであることを特徴とする請求項１または２に記載の浄水器用カートリッジ。
【請求項４】
請求項１〜３のいずれか１項に記載の浄水器用カートリッジを備えたことを特徴とする浄水器。
【請求項５】
請求項１〜３のいずれか１項に記載の浄水器用カートリッジを収納する収納ケースであって、少なくとも前記導入孔を覆うキャップ部と、少なくとも前記導出孔を覆う胴部とを有し、前記キャップ部と前記胴部はβ線遮蔽能を有する素材からなることを特徴とする浄水器用カートリッジ収納ケース。
【手続補正２】
【補正対象書類名】明細書
【補正対象項目名】０００７
【補正方法】変更
【補正の内容】
【０００７】
即ち、本考案の浄水器用カートリッジは、水を導入する導入孔と水を導出する導出孔とを有する容器と、該容器内の導入孔と導出孔の間に配されたろ材とを有する浄水器用カートリッジであって、前記容器内のろ材と導入孔の間またはろ材と導出孔の間、或いは前記容器外に配され、前記導入孔と導出孔の少なくとも一方を覆う放射線遮蔽部材を有することを特徴とする。